(57)【特許請求の範囲】
【請求項１】
上部水平内枠部、下部水平内枠部及び上部水平内枠部と下部水平内枠部の一方の端部を連結する垂直内枠部とを有し、上部水平内枠部の上縁には、上部水平折り返し部が連接されているとともに、上部水平折り返し部には、上部外枠部が連接されており、また、下部水平内枠部の下縁には、下部水平折り返し部が連接されているとともに、下部水平折り返し部には、下部外枠部が連接されており、更に、垂直内枠部の側縁には、側部垂直折り返し部が連接されているとともに、側部垂直折り返し部には、垂直外枠部が連接されており、更にまた、下部水平内枠部の垂直内枠部と反対側に位置する縁には、側部垂直折り返し部が連接されているとともに、側部垂直折り返し部には、下部水平内枠部と同じ縦幅を有する垂直外枠部が連接されているパレット用カード差しであって、上部外枠部、下部外枠部及び垂直外枠部が、パレットの側壁面と接触するように、パレット用カード差しが、パレットに取着された際には、垂直内枠部と反対側に、カード差し込み口が形成されるように構成されており、且つ、パレット用カード差しに、カードが挿入された際には、カードの下端縁が、下部水平折り返し部に載置されるとともに、カードが、カード差し込み口方向に移動した際には、カード差し込み口側のカードの側端部が、下部水平内枠部と該下部水平内枠部の垂直内枠部と反対側に位置する垂直外枠部とを連接する側部垂直折り返し部に当接し、その移動が阻止されるように構成されていることを特徴とするパレット用カード差し。
【請求項２】
上部水平内枠部の縦幅が、下部水平内枠部の縦幅より広く形成されていることを特徴とする請求項１に記載のパレット用カード差し。
【請求項３】
上部水平内枠部、下部水平内枠部及び上部水平内枠部と下部水平内枠部の一方の端部を連結する垂直内枠部とを有し、上部水平内枠部の上縁には、上部水平折り返し部が連接されているとともに、上部水平折り返し部には、上部外枠部が連接されており、また、下部水平内枠部の下縁には、下部水平折り返し部が連接されているとともに、下部水平折り返し部には、下部外枠部が連接されており、更に、垂直内枠部の側縁には、側部垂直折り返し部が連接されているとともに、側部垂直折り返し部には、垂直外枠部が連接されているパレット用カード差しであって、上部水平内枠部の長さが、下部水平内枠部の長さより短く形成されていることを特徴とするパレット用カード差し。
【発明の詳細な説明】
【０００１】
【産業上の利用分野】
本発明は、パレットを識別するカード或いはパレットに載置されている物品の行き先、物品名、種類、数量等を表示するカードを保持するためのパレット用カード差しに関するものである。
【０００２】
【従来の技術】
従来、パレットＰの側壁ｐ１に取着されたパレット用カード差しｈは、図４に示されているように、ほぼＵ字状に形成されており、カード差しｈの上方にカード差し込み口を有し、カード差しｈの上方からカードｃの挿入、取り出しを行うように構成されている。
【０００３】
【発明が解決しようとする課題】
上述した従来のパレット用カード差しｈにおいては、カード差しｈの上方からカードｃの挿入、取り出しを行うようにしたものであるので、パレットＰに物品Ａが載置されている場合、特に、パレットＰのデッキボードからはみ出して、所謂、オーバーハング状に物品Ａが載置されている場合には、パレットＰに載置されている物品Ａが邪魔になって、カードｃの挿入、取り出し作業の作業性が悪くなるという問題があった。
【０００４】
本発明の目的は、上述したような従来のパレット用カード差しが有する課題を解決することにある。
【０００５】
【課題を解決するための手段】
本発明は、上述した目的を達成するために、第１には、上部水平内枠部、下部水平内枠部及び上部水平内枠部と下部水平内枠部の一方の端部を連結する垂直内枠部とを有し、上部水平内枠部の上縁には、上部水平折り返し部が連接されているとともに、上部水平折り返し部には、上部外枠部が連接されており、また、下部水平内枠部の下縁には、下部水平折り返し部が連接されているとともに、下部水平折り返し部には、下部外枠部が連接されており、更に、垂直内枠部の側縁には、側部垂直折り返し部が連接されているとともに、側部垂直折り返し部には、垂直外枠部が連接されており、更にまた、下部水平内枠部の垂直内枠部と反対側に位置する縁には、側部垂直折り返し部が連接されているとともに、側部垂直折り返し部には、下部水平内枠部と同じ縦幅を有する垂直外枠部が連接されているパレット用カード差しであって、上部外枠部、下部外枠部及び垂直外枠部が、パレットの側壁面と接触するように、パレット用カード差しが、パレットに取着された際には、垂直内枠部と反対側に、カード差し込み口が形成されるように構成されており、且つ、パレット用カード差しに、カードが挿入された際には、カードの下端縁が、下部水平折り返し部に載置されるとともに、カードが、カード差し込み口方向に移動した際には、カード差し込み口側のカードの側端部が、下部水平内枠部と該下部水平内枠部の垂直内枠部と反対側に位置する垂直外枠部とを連接する側部垂直折り返し部に当接し、その移動が阻止されるように構成したものであり、第２には、上部水平内枠部の縦幅を、下部水平内枠部の縦幅より広く形成したものであり、第３には、上部水平内枠部、下部水平内枠部及び上部水平内枠部と下部水平内枠部の一方の端部を連結する垂直内枠部とを有し、上部水平内枠部の上縁には、上部水平折り返し部が連接されているとともに、上部水平折り返し部には、上部外枠部が連接されており、また、下部水平内枠部の下縁には、下部水平折り返し部が連接されているとともに、下部水平折り返し部には、下部外枠部が連接されており、更に、垂直内枠部の側縁には、側部垂直折り返し部が連接されているとともに、側部垂直折り返し部には、垂直外枠部が連接されているパレット用カード差しであって、上部水平内枠部の長さを、下部水平内枠部の長さより短く形成したものである。
【０００６】
【実施例】
以下に本発明の実施例について説明するが、本発明の趣旨を越えない限り何ら、本実施例に限定されるものではない。
【０００７】
Ｈは、パレット用カード差し（以下、単に、カード差しともいう。）であり、カード差しＨは、カード差しＨをパレットＰの側壁ｐ１に取着した際に、パレットＰの側壁面からカードＣの厚さ以上離れるように、パレットＰの側壁面から浮き上がるように構成された正面形状が、左右逆のほぼコの字状をしたカード保持枠１を有している。カード保持枠１は、横長の板状の上部水平内枠部１ａと、同じく横長の板状の下部水平内枠部１ｂと、上部水平内枠部１ａと下部水平内枠部１ｂの一方の端部を連結する縦長の板状の垂直内枠部１ｃとから構成されており、上部水平内枠部１ａの長さＬ１は、下部水平内枠部１ｂの長さＬ２より短く形成されているとともに、上部水平内枠部１ａの縦幅Ｗ１は、下部水平内枠部１ｂの縦幅Ｗ２より広く形成されている。
【０００８】
上部水平内枠部１ａの上縁には、上部水平内枠部１ａの面に対してほぼ直角な板状の上部水平折り返し部２が連接されており、上部水平折り返し部２には、カード差しＨをパレットＰの側壁ｐ１に取着した際に、パレットＰの側壁面と接触する、上部水平内枠部１ａと同じ長さの横長の板状の上部外枠部３が、連接されている。また、下部水平内枠部１ｂの下縁には、下部水平内枠部１ｂの面に対してほぼ直角な板状の下部水平折り返し部４が連接されており、下部水平折り返し部４には、カード差しＨをパレットＰの側壁ｐ１に取着した際に、パレットＰの側壁面と接触する、下部水平内枠部１ｂと同じ長さの横長の板状の下部外枠部５が連接されている。更に、垂直内枠部１ｃの左側縁には、垂直内枠部１ｃの面に対してほぼ直角な板状の側部垂直折り返し部６が連接されており、側部垂直折り返し部６には、カード差しＨをパレットＰの側壁ｐ１に取着した際に、パレットＰの側壁面と接触する、垂直内枠部１ｃと同じ長さの縦長の板状の垂直外枠部７が連接されている。そして、更に、下部水平内枠部１ｂの垂直内枠部１ｃと反対側に位置する縁には、下部水平内枠部１ｂの面に対してほぼ直角な板状の側部垂直折り返し部８が連接されており、側部垂直折り返し部８には、カード差しＨをパレットＰの側壁ｐ１に取着した際に、パレットＰの側壁面と接触する、下部水平内枠部１ｂと同じ縦幅を有する板状の垂直外枠部９が連接されている。上記の上部外枠部３、下部外枠部５、垂直外枠部７及び垂直外枠部９により、カード差しＨをパレットＰの側壁ｐ１に取着した際に、パレットＰの側壁面と接触する、カード保持枠１の外側に連接された外枠が構成されている。
【０００９】
上述した構成を有するカード差しＨを、上部外枠部３、下部外枠部５、垂直外枠部７及び垂直外枠部９が、パレットＰの側壁面と接触するように、パレットＰの側壁ｐ１に取着すると、パレットＰの側壁ｐ１に取着されたカード差しＨの垂直内枠部１ｃや垂直外枠部７と反対側に位置する部分にカード差し込み口Ｈ’が形成されることになる。
【００１０】
カード差しＨに挿入されたカードＣは、その下端縁ｃ１が、下部水平内枠部１ｂと下部外枠部３とを連接する下部水平折り返し部４に載置されるとともに、その下方部分が、下部水平内枠部１ｂとパレットＰの側壁ｐ１との間隙に挿入され、また、カードＣの垂直外枠部７側に位置する側方部分は、垂直内枠部１ｃとパレットＰの側壁ｐ１との間隙の少なくとも一部に挿入され、更に、カードＣの上方部分は、上部水平内枠部１ａとパレットＰの側壁ｐ１との間隙の少なくとも一部に挿入されることにより、カード差しＨに挿入されたカードＣが、図３において、手前方向に抜け出ないように構成されている。また、カードＣの垂直外枠部７側に位置する側端部が、垂直外枠部７方向に移動しても、カードＣの垂直外枠部７側の側端部が、垂直内枠部１ｃと垂直外枠部７とを連接する側部垂直折り返し部６に当接し、その移動が阻止されるので、カードＣが、カード差しＨの垂直外枠部７側から抜け出るようなことがない。更に、カードＣの垂直外枠部９側に位置する側端部が、垂直外枠部９方向に移動しても、カードＣの垂直外枠部９側の側端部が、下部水平内枠部１ｂと垂直外枠部９とを連接する側部垂直折り返し部８に当接し、その移動が阻止されるので、カードＣが、カード差しＨの垂直外枠部９側から抜け出るようなことがない。
【００１１】
カードＣの横幅は、カードＣの垂直外枠部７側に位置する側端部が、垂直内枠部１ｃと垂直外枠部７とを連接する側部垂直折り返し部６に当接した時点で、カードＣの右上端部が、上部水平内枠部１ａの端部からはみ出すような横幅とすることが好ましい。このように、カード差しＨに挿入されたカードＣの右上端部が、上部水平内枠部１ａの端部からはみ出すように、カードＣをカード差しＨに挿入することにより、カードＣをカード差しＨから取り出す際に、カードＣの右上端部をつまんで、斜め上方に引き出すことができ、カードＣのカード差しＨからの取り出し作業の作業性が向上する。
【００１２】
カード差しＨにカードＣを挿入する際には、カード差し込み口Ｈ’の真横方向から挿入することもできるが、図３の矢印Ｙに示されているように、カード差し込み口Ｈ’の斜め上方から挿入或いは取り出すことにより、スムースなカードＣの挿入或いは取り出し作業を行うことができる。特に、上述したように、上部水平内枠部１ａの長さＬ１を、下部水平内枠部１ｂの長さＬ２より短く形成することにより、カード差し込み口Ｈ’の斜め上方からの挿入或いは取り出し作業を、よりスムースに行うことができる。
【００１３】
上述した実施例には、カード保持枠１及びカード差しＨを、左右逆のほぼコの字状に形成した例が示されているが、カード保持枠１及びカード差しＨを、ほぼコの字状に形成し、図３において、カード差しＨの左側から、カードＣを挿入或いは取り出すように構成することもできる。また、上述した構成を有するカード差しＨは、合成樹脂の射出成形や、金属板材や合成樹脂製板材等の板材をプレス加工等することにより、一体に成形されることが好ましい。
【００１４】
【発明の効果】
本発明は、以上説明したように構成されているので、以下に記載するような効果を奏する。
【００１５】
パレットの側壁面から浮き上がるように構成された正面形状が、左右逆のほぼコの字状或いはほぼコの字状のカード保持枠と、該カード保持枠に連接されたパレットの側壁面と接触する外枠とを有し、カードを横方向或いは斜め上方から挿入或いは取り出すように構成したので、パレットに載置されている物品が邪魔になるようなことがなく、カードの挿入、取り出しを行うことができる。
【００１６】
カード保持枠を構成する上部水平内枠部の縦幅を、下部水平内枠部の縦幅より広く形成したので、カードを確実に、且つ、容易に、カード保持枠に挿入することができるとともに、カード保持枠からのカードの取り出しを容易に、且つ、迅速に行うことができる。
【００１７】
カード保持枠を構成する上部水平内枠部の長さを、下部水平内枠部の長さより短くしたので、カードのカード差し込み口の斜め上方からの挿入或いは取り出し作業を、よりスムースに行うことができる。
【図面の簡単な説明】
【図１】図１は本発明のパレット用カード差しが取着されたパレットの正面図である。
【図２】図２は本発明のパレット用カード差しの斜視図である。
【図３】図３は本発明のパレット用カード差しの正面図である。
【図４】図４は従来のパレット用カード差しが取着されたパレットの正面図である。
【符号の説明】
Ｃ・・・・・・・・カード
Ｈ・・・・・・・・カード差し
Ｐ・・・・・・・・パレット
１・・・・・・・・カード保持枠
【図１】
0004009363.tif 000002
【図２】
0004009363.tif 000003
【図３】
0004009363.tif 000004
【図４】
0004009363.tif 000005